(57)【特許請求の範囲】
【請求項１】
電動送風機が収容された掃除機本体と、この掃除機本体に対向して開口部が設けられた集塵部と、この集塵部に対して着脱自在に取り付けられるフィルタ部材とを有する電気掃除機において、
前記掃除機本体に押圧部を設け、前記フィルタ部材に、このフィルタ部材が不完全な状態で取り付けられた集塵部を前記掃除機本体に取り付けた際に、前記押圧部によって押される被押圧部を設け、前記押圧部が、前記フィルタ部材側に突出して設けられると共に、前記集塵部を前記掃除機本体に装着した状態で、前記押圧部が前記被押圧部に対し実質的に非押圧状態となるよう、前記押圧部の突出量を規定したことを特徴とする電気掃除機。
【請求項２】
電動送風機が収容された掃除機本体と、この掃除機本体に対向して開口部が設けられた集塵部と、この集塵部に対して着脱自在に取り付けられるフィルタ部材とを有する電気掃除機において、
前記掃除機本体に押圧部を設け、前記フィルタ部材に、このフィルタ部材が不完全な状態で取り付けられた集塵部を前記掃除機本体に取り付けた際に、前記押圧部によって押される被押圧部を設け、前記被押圧部が、前記掃除機本体側に突出して設けられると共に、前記集塵部を前記掃除機本体に装着した状態で、前記押圧部が前記被押圧部に対し実質的に非押圧状態となるよう、前記被押圧部の突出量を規定したことを特徴とする電気掃除機。
【請求項３】
電動送風機が収容された掃除機本体と、この掃除機本体に対向して開口部が設けられた集塵部と、この集塵部に対して着脱自在に取り付けられるフィルタ部材とを有する電気掃除機において、
前記掃除機本体に押圧部を設け、前記フィルタ部材に、このフィルタ部材が不完全な状態で取り付けられた集塵部を前記掃除機本体に取り付けた際に、前記押圧部によって押される被押圧部を設け、前記押圧部が、前記フィルタ部材側に突出して設けられ、前記被押圧部が、前記掃除機本体側に突出して設けられると共に、前記集塵部を前記掃除機本体に装着した状態で、前記押圧部が前記被押圧部に対し実質的に非押圧状態となるよう、前記押圧部及び被押圧部の突出量を規定したことを特徴とする電気掃除機。
【発明の詳細な説明】
【技術分野】
【０００１】
本発明は、電気掃除機に関するものであり、特に、集塵ケースにフィルタが着脱自在に取り付けられる電気掃除機に関するものである。
【背景技術】
【０００２】
従来、この種の電気掃除機としては、電動送風機が内蔵された掃除機本体と、集塵部と、フィルタ部材とを有し、前記集塵部の開口部に前記フィルタ部材を装着した後、このフィルタ部材が装着された前記集塵部を前記掃除機本体に装着するものが知られている（例えば、特許文献１参照。）。なお、前記フィルタ部材は、その外周部にシール部を有し、このシール部が前記集塵部の内壁に接することで、前記集塵部の内壁とシール部との間の気流漏れを防止できるように構成されている。
【先行技術文献】
【特許文献】
【０００３】
【特許文献１】特許第４０２１６８６号公報
【発明の概要】
【発明が解決しようとする課題】
【０００４】
しかしながら、このような電気掃除機は、前記フィルタ部材が前記集塵部に対して不完全に装着された状態で、この集塵部を掃除機本体に装着すると、前記集塵部とフィルタ部材との間から外気が前記集塵部内に流入してしまうため、ノズルからの吸引力が低下してしまうという問題があった。
【０００５】
本発明は以上の問題点を解決し、確実にフィルタ部材を集塵部に装着し、気流漏れを防止することができる電気掃除機を提供することを目的とする。
【課題を解決するための手段】
【０００６】
本発明の請求項１に記載の電気掃除機は、電動送風機が収容された掃除機本体と、この掃除機本体に対向して開口部が設けられた集塵部と、この集塵部に対して着脱自在に取り付けられるフィルタ部材とを有する電気掃除機において、前記掃除機本体に押圧部を設け、前記フィルタ部材に、このフィルタ部材が不完全な状態で取り付けられた集塵部を前記掃除機本体に取り付けた際に、前記押圧部によって押される被押圧部を設け、前記押圧部が、前記フィルタ部材側に突出して設けられると共に、前記集塵部を前記掃除機本体に装着した状態で、前記押圧部が前記被押圧部に対し実質的に非押圧状態となるよう、前記押圧部の突出量を規定したものである。
【０００７】
また、本発明の請求項２に記載の電気掃除機は、電動送風機が収容された掃除機本体と、この掃除機本体に対向して開口部が設けられた集塵部と、この集塵部に対して着脱自在に取り付けられるフィルタ部材とを有する電気掃除機において、前記掃除機本体に押圧部を設け、前記フィルタ部材に、このフィルタ部材が不完全な状態で取り付けられた集塵部を前記掃除機本体に取り付けた際に、前記押圧部によって押される被押圧部を設け、前記被押圧部が、前記掃除機本体側に突出して設けられると共に、前記集塵部を前記掃除機本体に装着した状態で、前記押圧部が前記被押圧部に対し実質的に非押圧状態となるよう、前記被押圧部の突出量を規定したものである。
【０００８】
また、本発明の請求項３に記載の電気掃除機は、電動送風機が収容された掃除機本体と、この掃除機本体に対向して開口部が設けられた集塵部と、この集塵部に対して着脱自在に取り付けられるフィルタ部材とを有する電気掃除機において、前記掃除機本体に押圧部を設け、前記フィルタ部材に、このフィルタ部材が不完全な状態で取り付けられた集塵部を前記掃除機本体に取り付けた際に、前記押圧部によって押される被押圧部を設け、前記押圧部が、前記フィルタ部材側に突出して設けられ、前記被押圧部が、前記掃除機本体側に突出して設けられると共に、前記集塵部を前記掃除機本体に装着した状態で、前記押圧部が前記被押圧部に対し実質的に非押圧状態となるよう、前記押圧部及び被押圧部の突出量を規定したものである。
【発明の効果】
【０００９】
本発明の請求項１に記載の電気掃除機は、以上のように構成することにより、前記フィルタ部材が不完全な状態で取り付けられた集塵部を前記掃除機本体に取り付けると、前記掃除機本体の押圧部が前記フィルタ部材の被押圧部を押すことで、前記フィルタ部材を前記集塵部に押し込んで、前記フィルタ部材を前記集塵部の適切な位置に装着させることができるので、前記集塵部とフィルタ部材との間からの気流漏れを確実に防止することができる。また、前記集塵部を過大な抵抗なく前記掃除機本体に装着することができると共に、前記フィルタ部材を確実に前記集塵部の適切な位置に装着することができる。
【００１０】
また、本発明の請求項２に記載の電気掃除機は、以上のように構成することにより、前記フィルタ部材が不完全な状態で取り付けられた集塵部を前記掃除機本体に取り付けると、前記掃除機本体の押圧部が前記フィルタ部材の被押圧部を押すことで、前記フィルタ部材を前記集塵部に押し込んで、前記フィルタ部材を前記集塵部の適切な位置に装着させることができるので、前記集塵部とフィルタ部材との間からの気流漏れを確実に防止することができる。また、前記集塵部を過大な抵抗なく前記掃除機本体に装着することができると共に、前記フィルタ部材を確実に前記集塵部の適切な位置に装着することができる。また、前記被押圧部を把持して、前記フィルタ部材を前記集塵部から取り外すことができる。
【００１１】
更に、本発明の請求項３に記載の電気掃除機は、以上のように構成することにより、前記フィルタ部材が不完全な状態で取り付けられた集塵部を前記掃除機本体に取り付けると、前記掃除機本体の押圧部が前記フィルタ部材の被押圧部を押すことで、前記フィルタ部材を前記集塵部に押し込んで、前記フィルタ部材を前記集塵部の適切な位置に装着させることができるので、前記集塵部とフィルタ部材との間からの気流漏れを確実に防止することができる。また、前記集塵部を過大な抵抗なく前記掃除機本体に装着することができると共に、前記フィルタ部材を確実に前記集塵部の適切な位置に装着することができる。また、前記被押圧部を把持して、前記フィルタ部材を前記集塵部から取り外すことができる。
【図面の簡単な説明】
【００１２】
【図１】本発明の第一の実施形態を示す電気掃除機の右側面図である。
【図２】同、掃除機本体に集塵部を装着する途中の状態における要部の部分拡大断面図である。
【図３】同、掃除機本体に集塵部を装着した状態における要部の部分拡大断面図である。
【図４】同、要部の分解図である。
【図５】本発明の第二の実施形態を示す電気掃除機の、掃除機本体に集塵部を装着した状態における要部の部分拡大断面図である。
【図６】本発明の第三の実施形態を示す電気掃除機の、掃除機本体に集塵部を装着した状態における要部の部分拡大断面図である。
【発明を実施するための形態】
【００１３】
以下、本発明の第一の実施形態について、図１乃至図４に基づいて説明する。なお、以下の説明において、図１の姿勢に基づいて前後及び上下を規定する。即ち、図１において、左側が正面側、右側が背面側である。１は本発明の電気掃除機である。この電気掃除機１は、縦型のサイクロン式掃除機である。そして、この電気掃除機１は、掃除機本体２と、集塵部３と、渦流発生手段４と、フィルタ部材５と、吸引ノズル６とを有して構成される。
【００１４】
前記掃除機本体２は、ケーシング７と、腕部８と、把持部９とを有して構成される。前記ケーシング７は、その内部に電動送風機１０を有する。また、前記ケーシング７は、前記集塵部３の開口部２１（後述）に挿入される挿入部１１を有する。また、前記ケーシング７は、その正面側上部に、第二の把持部１２を有する。また、前記ケーシング７は、前記第二の把持部１２の近傍に、スイッチ１３を有する。また、前記ケーシング７は、その正面側下部に、開閉操作部１４を有すると共に、この開閉操作部１４に連動して出没する可動フック１５を、前記挿入部１１の正面側に有する。また、前記ケーシング７は、前記挿入部１１の背面側に、固定フック１６を有する。また、前記ケーシング７は、前記挿入部１１の下部に、図示しない吸引口を有すると共に、側部に排気口１７を有する。更に、前記挿入部１１の後部で且つ前記固定フック１６の前方には、押圧部１８が下方に突出して設けられる。そして、前記ケーシング７の上部には、前記腕部８が取り付けられる。更に、前記腕部８の上部には、前記把持部９が取り付けられる。なお、１９は電源コードであり、その先端にプラグ２０が設けられる。
【００１５】
前記掃除機本体２の下方には、透明合成樹脂製の前記集塵部３が着脱自在に取り付けられる。この集塵部３は、その上部に、前記掃除機本体２のケーシング７の挿入部１１が挿入される開口部２１が形成された接続部２２を有する。そして、前記集塵部３の前側で且つ前記接続部２２の下方には、有底で且つ下方がやや細くなった略円筒状のサイクロン筒２３が形成されると共に、前記集塵部３の後側で且つ前記接続部２２の下方には、前記サイクロン筒２３の軸方向と略平行で且つ内面が円筒状の導入部２４が形成される。なお、これら接続部２２とサイクロン筒２３と導入部２４は、同一の部材によって一体に形成される。また、前記接続部２２の前部には、前記可動フック１５に対応して、第一のフック受部２５が形成される。一方、前記接続部２２の後部には、前記固定フック１６に対応して、第二のフック受部２６が形成される。更に、前記導入部２４の下端開口部には、前記吸引ノズル６が着脱自在に接続される。
【００１６】
前記集塵部３には、前記渦流発生手段４が着脱自在に取り付けられる。この渦流発生手段４は、前記開口部２１から前記集塵部３に挿入される。また、前記渦流発生手段４は、前記開口部２１を塞ぐ閉塞板部２７と、この閉塞板部２７に上端が接続されると共に略円筒状に形成された円筒部２８と、方向転換部２９と、摘み部３０とを備える。なお、これら閉塞板部２７と円筒部２８と方向転換部２９と摘み部３０は、硬質の合成樹脂によって一体に形成される。前記円筒部２８は、前記集塵部３に前記渦流発生手段４を装着した際に、前記サイクロン筒２３と同軸状となるように構成される。そして、前記円筒部２８の側壁３１には、多数の小孔３２が形成される。また、前記円筒部２８は、その上部が開放すると共に、前記フィルタ部材５に設けられたフィルタ３５（後述）が上方から挿入される。また、前記方向転換部２９は、前記導入部２４を上昇した気流を、前記サイクロン筒２３の内壁の接線方向に方向転換させるものである。更に、前記摘み部３０は、前記渦流発生手段４の後部に設けられる。
【００１７】
前記渦流発生手段４の上方には、前記フィルタ部材５が着脱自在に取り付けられる。このフィルタ部材５は、前記開口部２１から挿入される。また、前記フィルタ部材５は、前記開口部２１を塞ぐ閉塞板部３３と、この閉塞板部３３の外周に設けられた外シール部３４と、下方に突出して設けられたフィルタ３５と、このフィルタ３５の上端開口部を囲んで設けられた内シール部３６と、被押圧部３７とを備える。なお、前記閉塞板部３３と、前記外シール部３４と、前記内シール部３６と、前記被押圧部３７は、軟質合成樹脂によって一体に形成される。そして、前記外シール部３４は、その先端側が前記集塵部３の接続部２２の内壁に密接可能に構成される。なお、前記外シール部３４の先端は、前記各フック受部２５，２６よりも低い位置で、前記接続部２２の内壁に接する。また、前記内シール部３６は、その先端側が、図示しない前記吸引口を囲むように、前記挿入部１１の下部に密接可能に構成される。更に、前記被押圧部３７は、前記フィルタ部材５の後部で且つ前記摘み部３０を上方から覆うように、上方に突出して設けられる。なお、前記被押圧部３７は、前記掃除機本体２に前記集塵部３と渦流発生手段４とフィルタ部材５とを取り付けた際に、実質的に、前記押圧部１８と非押圧状態で接する程度の高さに形成される。
【００１８】
次に、本実施形態の作用について説明する。まず、使用者は、前記渦流発生手段４を前記集塵部３に装着する。前記渦流発生手段４は、その円筒部２８が前記サイクロン筒２３内に挿入されるように、また、前記方向転換部２９が前記導入部２４の上方に位置するように、前記集塵部３の開口部２１から挿入されて、前記集塵部３に装着される。次に、前記フィルタ部材５を、前記渦流発生手段４の上方から前記集塵部３内に押し込んで装着する。前記フィルタ部材５は、そのフィルタ３５が前記円筒部２８内に挿入されるように、また、前記被押圧部３７が前記摘み部３０を上方から覆うように、前記集塵部３の開口部２１から挿入されて、前記集塵部３に装着される。なお、このように前記フィルタ部材５が前記集塵部３に装着されると、前記フィルタ部材５の閉塞板部３３の外周に設けられた外シール部３４は、前記集塵部３の接続部２２の内周壁に密接する。そして、前記外シール部３４が前記集塵部３の接続部２２の内周壁に密接することで、前記外シール部３４と前記接続部２２の内周壁との間は、外気が流通できないようにシールされる。更に、使用者は、このように前記渦流発生手段４及びフィルタ部材５が取り付けられた前記集塵部３を、前記掃除機本体２に装着する。なお、前記掃除機本体２の固定フック１６を前記集塵部３の第二フック受部２６に引っ掛けた後、前記掃除機本体２の可動ブック１５を前記集塵部３の第一フック受部２５に係合させることで、前記集塵部３は、前記掃除機本体２に装着される。そして、このように前記集塵部３が前記掃除機本体２に装着されると、前記内シール部３６の先端部が、図示しない前記吸引口を囲むように、前記挿入部１１の底部に密接する。そして、前記内シール部３６が前記挿入部１１の底部に密接することで、前記内シール部３６と前記挿入部１１の底部との間は、外気が流通できないようにシールされる。なお、前記押圧部１８の下端と被押圧部３７の上端は、非押圧状態で接する。
【００１９】
なお、前記集塵部３への前記フィルタ部材５の押し込みが不十分であった場合、前記外シール部３４が前記接続部２２の内周壁に密接せず、両者間が十分にシールされない虞がある。しかしながら、例えば前記フィルタ部材５の後部が前記集塵部３内に十分押し込まれなかった場合、前記集塵部３を前記掃除機本体２に装着する過程において、前記被押圧部３７が前記押圧部１８によって押圧されることで、前記フィルタ部材５の後部が前記集塵部３内に押し込まれる。そして、前記フィルタ部材５が前記押圧部１８によって最後まで押し込まれた状態において、前記押圧部１８の下端と前記被押圧部３７の上端は、非押圧状態で接する。一方、前記フィルタ部材５の前部が前記集塵部３内に十分押し込まれなかった場合、前記集塵部３を前記掃除機本体２に装着する過程において、前記内シール部３６が前記挿入部１１の底部によって押圧されることで、前記フィルタ部材５の前部が前記集塵部３内に押し込まれる。そして、前記フィルタ部材５が前記挿入部１１の底部によって最後まで押し込まれた状態において、前記内シール部３６の上端と前記挿入部１１の底部は、押圧状態で密接する。
【００２０】
このように、前記フィルタ部材５の押し込みが不十分であっても、前記集塵部３を前記掃除機本体２に装着する過程で、前記フィルタ部材５が前記集塵部３内に最後まで押し込まれる。そして、前記押圧部１８の下端と前記被押圧部３７の上端とが非押圧状態となるので、前記集塵部３を前記掃除機本体２に装着した状態において、前記フィルタ部材５の閉塞板部３３は撓まない。これによって、前記閉塞板部３３の外周の前記外シール部３４と、前記接続部２２の内周壁は、密接することができる。更に、前記集塵部３を過大な抵抗なく前記掃除機本体２に装着することができるばかりでなく、前記フィルタ部材５を確実に前記集塵部３の適切な位置に装着することができる。
【００２１】
なお、軟質合成樹脂製の前記被押圧部３７は、硬質合成樹脂製の前記摘み部３０を覆うように設けられるので、前記押圧部１８によって押圧される際に、前記摘み部３０によって案内される。従って、前記被押圧部３７は、前記押圧部１８によって押圧される際に大きく撓まない。このため、前記フィルタ部材５は、前記押圧部１８によって最後まで確実に押し込まれる。
【００２２】
そして、このように前記集塵部３が前記掃除機本体２に装着された状態で、使用者は、前記電源コード１９のプラグ２０を図示しない電源に接続し、前記スイッチ１３を操作する。この操作によって、前記電動送風機１０は作動する。そして、前記電動送風機１０が作動することによって、被清掃面上の塵埃が、気流と共に前記吸引ノズル６から吸引される。そして、塵埃を含む気流は、前記導入部２４から前記サイクロン筒２３内に流入し、このサイクロン筒２３内で、このサイクロン筒２３の内壁に沿って旋回する渦流となる。このように、前記気流が前記サイクロン筒２３内で旋回することによって、粗い塵埃は遠心分離され、前記サイクロン筒２３内に溜められる。そして、粗い塵埃が分離された気流は、前記渦流発生手段４の円筒部２８の小孔３２を通過した後、前記フィルタ部材５のフィルタ３５を通過する。この際、前記気流に含まれる細かい塵埃は、前記フィルタ３５によって濾過される。更に、前記フィルタ３５を通過した気流は、図示しない吸引口を通過した後、前記電動送風機１０により、前記排気口１７から前記掃除機本体２外に排出される。
【００２３】
そして、使用者は、前記サイクロン筒２３内に塵埃が溜まったら、前記集塵部３を前記掃除機本体２から取り外して、前記サイクロン筒２３内の塵埃を廃棄する。前記集塵部３は、前記操作部１４を押して前記可動フック１５と第一のフック受部２５との係合を解除することで、前記掃除機本体２から取り外される。そして、前記集塵部３から前記フィルタ部材５及び渦流発生手段４を取り外すことで、前記サイクロン筒２３内の塵埃を廃棄することが可能となる。なお、前記フィルタ部材５は、前記被押圧部３７を掴んで持ち上げることで、前記集塵部３から容易に取り外すことができる。また、前記渦流発生手段４は、前記摘み部３０を掴んで持ち上げることで、前記集塵部３から容易に取り外すことができる。
【００２４】
以上のように、本発明は、電動送風機１０が収容された掃除機本体２と、この掃除機本体２に対向して開口部２１が設けられた集塵部３と、この集塵部３に対して着脱自在に取り付けられるフィルタ部材５とを有する電気掃除機１において、前記掃除機本体２に押圧部１８を設けると共に、前記フィルタ部材５に被押圧部３７を設けることで、前記フィルタ部材５が不完全な状態で取り付けられた集塵部３を前記掃除機本体２に取り付けた際に、前記押圧部１８が前記被押圧部３７を押して、前記フィルタ部材５を前記集塵部３に押し込み、前記フィルタ部材５を前記集塵部３の適切な位置に装着させることができるので、前記集塵部３とフィルタ部材５との間からの気流漏れを確実に防止することができるものである。
【００２５】
また、本発明は、前記押圧部１８を、前記フィルタ部材５側に突出して設け、前記被押圧部３７を、前記掃除機本体２側に突出して設けると共に、前記集塵部３を前記掃除機本体２に装着した際に、前記押圧部１８が前記被押圧部３７に対し実質的に非押圧状態となるよう、前記押圧部１８及び被押圧部３７の突出量を規定したことで、前記集塵部３を過大な抵抗なく前記掃除機本体２に装着することができると共に、前記フィルタ部材５を確実に前記集塵部３の適切な位置に装着することができ、更に、前記被押圧部３７を把持して、前記フィルタ部材５を前記集塵部３から容易に取り外すことができるものである。
【００２６】
次に、本発明の第二の実施形態について、図５に基づいて説明する。なお、上記第一の実施形態と共通する部分は、説明を省略する。４１は本発明の電気掃除機である。この電気掃除機４１は、掃除機本体４２と、集塵部３と、渦流発生手段４４と、フィルタ部材４５と、吸引ノズル６とを有して構成される。
【００２７】
前記掃除機本体４２は、ケーシング４６を有する。このケーシング４６は、前記集塵部３の開口部２１に挿入される挿入部４７を有する。また、前記挿入部４７の後部には、押圧部４８が下方に突出して設けられる。
【００２８】
前記集塵部３には、前記渦流発生手段４４が着脱自在に取り付けられる。この渦流発生手段４４は、第一の実施形態における渦流発生手段４と異なり、摘み部が設けられない。
【００２９】
前記渦流発生手段４４の上方には、前記フィルタ部材４５が着脱自在に取り付けられる。このフィルタ部材４５は、前記開口部２１から挿入される。また、前記フィルタ部材４５は、前記開口部２１を塞ぐ閉塞板部４９と、この閉塞板部４９の外周に設けられた外シール部５０と、下方に突出して設けられたフィルタ（図示せず）と、このフィルタの上端開口部を囲んで設けられた内シール部５１と、被押圧部５２とを備える。なお、前記閉塞板部４９と、前記外シール部５０と、前記内シール部５１と、前記被押圧部５２は、軟質合成樹脂によって一体に形成される。そして、前記外シール部５０は、その先端側が前記集塵部３の接続部２２の内壁に密接可能に構成される。また、前記内シール部５１は、その先端側が、前記挿入部４７の下部に密接可能に構成される。更に、前記被押圧部５２は、前記閉塞板部４９の一部により構成されており、上方へは突出しない。なお、前記被押圧部５２は、前記掃除機本体４２に前記集塵部３と渦流発生手段４４とフィルタ部材４５とを取り付けた際に、実質的に、前記押圧部４８と非押圧状態で接する。
【００３０】
次に、本実施形態の作用について説明する。まず、使用者は、前記渦流発生手段４４を前記集塵部３に装着する。次に、前記フィルタ部材４５を、前記渦流発生手段４４の上方から前記集塵部３内に押し込んで装着する。なお、このように前記フィルタ部材４５が前記集塵部３に装着されると、前記フィルタ部材４５の閉塞板部４９の外周に設けられた外シール部５０は、前記集塵部３の接続部２２の内周壁に密接する。そして、前記外シール部５０が前記集塵部３の接続部２２の内周壁に密接することで、前記外シール部５０と前記接続部２２の内周壁との間は、外気が流通できないようにシールされる。更に、使用者は、このように前記渦流発生手段４４及びフィルタ部材４５が取り付けられた前記集塵部３を、前記掃除機本体４２に装着する。そして、前記集塵部３が前記掃除機本体４２に装着されると、前記内シール部５０の先端部が、前記挿入部４７の底部に密接する。そして、前記内シール部５０が前記挿入部４７の底部に密接することで、前記内シール部５１と前記挿入部４７の底部との間は、外気が流通できないようにシールされる。なお、前記押圧部４８の下端と被押圧部５２は、非押圧状態で接する。
【００３１】
なお、前記集塵部３への前記フィルタ部材４５の押し込みが不十分であった場合、前記外シール部５０が前記接続部２２の内周壁に密接せず、両者間が十分にシールされない虞がある。しかしながら、例えば前記フィルタ部材４５の後部が前記集塵部３内に十分押し込まれなかった場合、前記集塵部３を前記掃除機本体４２に装着する過程において、前記被押圧部５２が前記押圧部４８によって押圧されることで、前記フィルタ部材４５の後部が前記集塵部３内に押し込まれる。そして、前記フィルタ部材４５が前記押圧部４８によって最後まで押し込まれた状態において、前記押圧部４８の下端と前記被押圧部５２は、非押圧状態で接する。一方、前記フィルタ部材４５の前部が前記集塵部３内に十分押し込まれなかった場合、前記集塵部３を前記掃除機本体４２に装着する過程において、前記内シール部５１が前記挿入部４７の底部によって押圧されることで、前記フィルタ部材４５の前部が前記集塵部３内に押し込まれる。そして、前記フィルタ部材４５が前記挿入部４７の底部によって最後まで押し込まれた状態において、前記内シール部５１の上端と前記挿入部４７の底部は、押圧状態で密接する。
【００３２】
このように、前記フィルタ部材４５の押し込みが不十分であっても、前記集塵部３を前記掃除機本体４２に装着する過程で、前記フィルタ部材４５が前記集塵部３内に最後まで押し込まれる。そして、前記押圧部４８の下端と前記被押圧部５２とが非押圧状態となるので、前記集塵部３を前記掃除機本体４２に装着した状態において、前記フィルタ部材４５の閉塞板部４９は撓まない。これによって、前記閉塞板部４９の外周の前記外シール部５０と、前記接続部２２の内周壁は、密接することができる。更に、前記集塵部３を過大な抵抗なく前記掃除機本体４２に装着することができるばかりでなく、前記フィルタ部材４５を確実に前記集塵部３の適切な位置に装着することができる。
【００３３】
次に、本発明の第三の実施形態について、図６に基づいて説明する。なお、上記各実施形態と共通する部分は、説明を省略する。６１は本発明の電気掃除機である。この電気掃除機６１は、掃除機本体６２と、集塵部３と、渦流発生手段４と、フィルタ部材６５と、吸引ノズル６とを有して構成される。
【００３４】
前記掃除機本体６２は、ケーシング６６を有する。このケーシング６６は、前記集塵部３の開口部２１に挿入される挿入部６７を有する。また、前記挿入部６７の後部には、押圧部６８が設けられる。
【００３５】
前記集塵部３には、前記渦流発生手段４が着脱自在に取り付けられる。そして、前記渦流発生手段４の上方には、前記フィルタ部材６５が着脱自在に取り付けられる。このフィルタ部材６５は、前記開口部２１から挿入される。また、前記フィルタ部材６５は、前記開口部２１を塞ぐ閉塞板部６９と、この閉塞板部６９の外周に設けられた外シール部７０と、下方に突出して設けられたフィルタ（図示せず）と、このフィルタの上端開口部を囲んで設けられた内シール部７１と、上方に突出して設けられた被押圧部７２とを備える。なお、前記閉塞板部６９と、前記外シール部７０と、前記内シール部７１と、前記被押圧部７２は、軟質合成樹脂によって一体に形成される。そして、前記外シール部７０は、その先端側が前記集塵部３の接続部２２の内壁に密接可能に構成される。また、前記内シール部７１は、その先端側が、前記挿入部６７の下部に密接可能に構成される。更に、前記被押圧部７２は、前記フィルタ部材６５の後部で且つ前記渦流発生手段４の摘み部３０を上方から覆うように、上方に突出して設けられる。なお、前記被押圧部７２は、前記掃除機本体６２に前記集塵部３と渦流発生手段４とフィルタ部材６５とを取り付けた際に、実質的に、前記押圧部６８と非押圧状態で接する程度の高さに形成される。
【００３６】
次に、本実施形態の作用について説明する。まず、使用者は、前記渦流発生手段４を前記集塵部３に装着する。次に、前記フィルタ部材６５を、前記渦流発生手段４の上方から前記集塵部３内に押し込んで装着する。なお、このように前記フィルタ部材６５が前記集塵部３に装着されると、前記フィルタ部材６５の閉塞板部６９の外周に設けられた外シール部７０は、前記集塵部３の接続部２２の内周壁に密接する。そして、前記外シール部７０が前記集塵部３の接続部２２の内周壁に密接することで、前記外シール部７０と前記接続部２２の内周壁との間は、外気が流通できないようにシールされる。更に、使用者は、このように前記渦流発生手段４及びフィルタ部材６５が取り付けられた前記集塵部３を、前記掃除機本体６２に装着する。そして、前記集塵部３が前記掃除機本体６２に装着されると、前記内シール部７０の先端部が、前記挿入部６７の底部に密接する。そして、前記内シール部７０が前記挿入部６７の底部に密接することで、前記内シール部７１と前記挿入部６７の底部との間は、外気が流通できないようにシールされる。なお、前記押圧部６８と被押圧部７２の上端は、非押圧状態で接する。
【００３７】
なお、前記集塵部３への前記フィルタ部材６５の押し込みが不十分であった場合、前記外シール部７０が前記接続部２２の内周壁に密接せず、両者間が十分にシールされない虞がある。しかしながら、例えば前記フィルタ部材６５の後部が前記集塵部３内に十分押し込まれなかった場合、前記集塵部３を前記掃除機本体６２に装着する過程において、前記被押圧部７２が前記押圧部６８によって押圧されることで、前記フィルタ部材６５の後部が前記集塵部３内に押し込まれる。そして、前記フィルタ部材６５が前記押圧部６８によって最後まで押し込まれた状態において、前記押圧部６８と前記被押圧部７２の上端は、非押圧状態で接する。一方、前記フィルタ部材６５の前部が前記集塵部３内に十分押し込まれなかった場合、前記集塵部３を前記掃除機本体６２に装着する過程において、前記内シール部７１が前記挿入部６７の底部によって押圧されることで、前記フィルタ部材６５の前部が前記集塵部３内に押し込まれる。そして、前記フィルタ部材６５が前記挿入部６７の底部によって最後まで押し込まれた状態において、前記内シール部７１の上端と前記挿入部６７の底部は、押圧状態で密接する。
【００３８】
このように、前記フィルタ部材６５の押し込みが不十分であっても、前記集塵部３を前記掃除機本体６２に装着する過程で、前記フィルタ部材６５が前記集塵部３内に最後まで押し込まれる。そして、前記押圧部６８と前記被押圧部７２の上端とが非押圧状態となるので、前記集塵部３を前記掃除機本体６２に装着した状態において、前記フィルタ部材６５の閉塞板部６９は撓まない。これによって、前記閉塞板部６９の外周の前記外シール部７０と、前記接続部２２の内周壁は、密接することができる。更に、前記集塵部３を過大な抵抗なく前記掃除機本体６２に装着することができるばかりでなく、前記フィルタ部材６５を確実に前記集塵部３の適切な位置に装着することができる。
【００３９】
なお、軟質合成樹脂製の前記被押圧部７２は、硬質合成樹脂製の前記摘み部３０を覆うように設けられるので、前記押圧部６８によって押圧される際に、前記摘み部３０によって案内される。従って、前記被押圧部７２は、前記押圧部６８によって押圧される際に大きく撓まない。このため、前記フィルタ部材６５は、前記押圧部６８によって最後まで確実に押し込まれる。更に、前記フィルタ部材６５は、前記被押圧部７２を掴んで持ち上げることで、前記集塵部３から容易に取り外すことができる。
【００４０】
なお、本発明は以上の実施形態に限定されるものではなく、発明の要旨の範囲内で種々の変形実施が可能である。例えば、上記各実施形態は、何れもサイクロン式掃除機であるが、フィルタ部材を集塵部に装着する形式の電気掃除機であれば、フィルタ式掃除機であっても良い。また、上記各実施形態は、何れも縦型掃除機であるが、横型の掃除機であっても良い。
【符号の説明】
【００４１】
１，４１，６１  電気掃除機
２，４２，６２  掃除機本体
３  集塵部
５，４５，６５  フィルタ部材
１０  電動送風機
１８，４８，６８  押圧部
２１  開口部
３７，５２，７２  被押圧部
【図１】
0005432737.tif 000002
【図２】
0005432737.tif 000003
【図３】
0005432737.tif 000004
【図４】
0005432737.tif 000005
【図５】
0005432737.tif 000006
【図６】
0005432737.tif 000007